(57)【要約】【課題】  公園、自宅ガーデン等の屋外の所定位置に予め設置してペットの用便をなす屋外設置用ペット汚物廃棄装置であって、特に回収が不可能であった小便についても適正に処理でき、大地にそのまま浸透することによる悪臭が伴うこと等の課題を解決する。【解決手段】  公園、自宅ガーデン等の屋外地面に一定高さで、而も防水処理を施して敷設されるセメント、レンガブロック等にて囲繞形成されたペット排便用プール本体と、このプール本体の外郭部の近傍に備えられ、且つ該外郭部の底部に排便された汚物を散水する水道栓と、更にプール本体の底部に設けられると共に、散水された汚物の集水用排水孔と、この集水用排水孔と地下に埋設された下水管とを連結してペット汚物を該下水管に送出する連結管とで成したことを特徴とした屋外設置用ペット汚物廃棄装置。【選択図】  図２
0003165371.tif 000002
【実用新案登録請求の範囲】
【請求項１】
公園、自宅ガーデン等の屋外地面に一定高さで、而も防水処理を施して敷設されるセメント、レンガブロック等にて囲繞形成されたペット排便用のプール本体と、このプール本体の外郭部の近傍に備えられ、且つ該外郭部の底部に排便された汚物を散水する水道栓と、更に前記プール本体の底部に設けられると共に、散水された汚物の集水用排水孔と、この集水用排水孔と地下に埋設された下水管とを連結してペット汚物を該下水管に送出する連結管とで成したことを特徴とした屋外設置用ペット汚物廃棄装置。
【請求項２】
前記集水用排水孔は、下部に下水管に挿入される筒部を形成し、この筒部とプール本体の底部に着座する鍔部との間に形成された凹部とで成し、而も該凹部に外周に複数本の排水用スリットを有する蓋体を被せたことを特徴とした請求項１記載の屋外設置用ペット汚物廃棄装置。
【請求項３】
公園、自宅ガーデン等の屋外地面に一定高さで、而も防水処理を施して敷設される金属、合成樹脂等にて一体的に形成されたペット排便用のプール本体と、このプール本体の外郭部の近傍に備えられ、且つプール本体の底部に排便された汚物を散水する水道栓と、更に前記プール本体の底板に設けられると共に、散水された汚物の集水用排水孔と、この集水用排水孔と地下に埋設された下水管とを連結してペット汚物を該下水管に送出する連結管とで成したことを特徴とした屋外設置用ペット汚物廃棄装置。
【考案の詳細な説明】
【技術分野】
【０００１】
本考案は公園、自宅ガーデン等の屋外の所定位置に予め設置してペットの用便をなす屋外設置用ペット汚物廃棄装置に関する。
【背景技術】
【０００２】
今日、ペットの飼育について排便による汚物処理が大きな社会問題となっている。
これは、自宅の庭先で排便されるとその処理に不快感が伴い、特に小便については、回収が不可能であって、大地にそのまま浸透し、且つ日々同じ場所での排便を重ねることによって悪臭が伴うことから敬遠される。
そこで、ややもするとペットは散歩中に排便を催す傾向が強くなる。
勿論、下記文献１に示す如く、散歩中での用便を予測し、ナイロン袋等を持参して汚物を回収し、自宅内のトイレに流すこと、更には家庭内ゴミと共に集荷場所に運び出すことが常であった。
【先行技術文献】
【特許文献】
【０００３】
【特許文献１】特開平１１−２８５３２８号
【考案の概要】
【考案が解決しようとする課題】
【０００４】
公園、自宅ガーデン等の屋外の所定位置に予め設置してペットの用便をなす屋外設置用ペット汚物廃棄装置であって、特に回収が不可能であった小便についても適正に処理でき、大地にそのまま浸透することによる悪臭が伴うこと等の課題を解決する。
【課題を解決するための手段】
【０００５】
本考案は、公園、自宅ガーデン等の屋外地面に一定高さで、而も防水処理を施して敷設されるセメント、レンガブロック等にて囲繞形成されたペット排便用のプール本体と、このプール本体の外郭部の近傍に備えられ、且つ該外郭部の底部に排便された汚物を散水する水道栓と、更に前記プール本体の底部に設けられると共に、散水された汚物の集水用排水孔と、この集水用排水孔と地下に埋設された下水管とを連結してペット汚物を該下水管に送出する連結管とで成したことを特徴としたものである。
【０００６】
更に本考案は、前記集水用排水孔は、下部に下水管に挿入される筒部を形成し、この筒部とプール本体の底部に着座する鍔部との間に形成された凹部とで成し、而も該凹部に外周に複数本の排水用スリットを有する蓋体を被せたことを特徴としたものである。
【０００７】
また、本考案は、公園、自宅ガーデン等の屋外地面に一定高さで、而も防水処理を施して敷設される金属、合成樹脂等にて一体的に形成されたペット排便用のプール本体と、このプール本体の外郭部の近傍に備えられ、且つプール本体の底部に排便された汚物を散水する水道栓と、更に前記プール本体の底板に設けられると共に、散水された汚物の集水用排水孔と、この集水用排水孔と地下に埋設された下水管とを連結してペット汚物を該下水管に送出する連結管とで成したことを特徴としたものである。
【考案の効果】
【０００８】
（１）請求項１により、ペットの散歩時、また自宅においてもそれぞれ所望位置に設置された屋外設置用ペット汚物廃棄装置場所にて排便させると共に、水道水にて散水してそのまま地下の下水管に送出させて処理することが出来、特に回収不可能であった小便についても大地にそのまま浸透することもなく、適正な衛生維持管理ができる。
また、ペットについては、常に同じ場所にて排便する習性があることから、所定の排便場所を意識付けさせることともなる。
更に、排便散水箇所となるプール本体の外郭部はセメント、レンガブロック等にて囲繞形成されているから、金属、合成樹脂製品に比し、公園、自宅ガーデン等の自然環境との調和が取れ、違和感が軽減されると共に、設置場所の広さ、地形等に対応して任意の形状に形成できる。
【０００９】
（２）請求項２により、集水用排水孔には排水用スリットを有する蓋体を被せているから、特に屋外での落葉、小石等の異物が下水管に送出されることもなく、而も蓋体は単にプール本体の底部に着座しているので、清掃等においても簡単に取外しできる。
【００１０】
（３）請求項３により、プール本体は金属、合成樹脂等にて形成しているから、一般家庭においても簡単に施工ができ、且つ汚物と共に汚水が大地に浸透することも無い。
【図面の簡単な説明】
【００１１】
【図１】屋外設置用ペット汚物廃棄装置の斜視図
【図２】同上の断面図
【図３】同上の部分拡大分解斜視図
【図４】同上の異なる実施例を示す斜視図
【考案を実施するための形態】
【００１２】
以下本考案を実施形態の図面に基づいて説明する。
図１は屋外設置用ペット汚物廃棄装置を示す斜視図であって、公園、自宅ガーデン等の屋外の所定地面ＥにペットＰの排便用プール本体１を敷設している。
具体的には、セメントによる打設、或いはレンガブロックを積層して、四角形に囲繞した排便用プール外郭部２を形成する。勿論、実施例の図面においては、四角形に形成しているが、円形、更には六角型等、敷設場所によって任意に選択される。
【００１３】
この排便用プール外郭部２は地面Ｅから一定高さｈに敷設され、排便用プール本体１から汚物がオーバーフォローすることへの配慮を行い、且つ排便用プール本体１の底部１ａはセメント張り施工により防水処理を施し、汚水が地面Ｅに浸透しない様にしている。
更に、プール本体１の底部１ａにはペットＰが排便した汚物の集水用排水孔３が設けられており、地面Ｅの下に埋設された下水管に連なる連結管４、該連結管４に挿入嵌合される筒部５とより成り、而もこの筒部５は排便用プール本体１の底部１ａに着座する鍔部５ａ及び凹部５ｂとで構成されている。
【００１４】
而して、上記筒部５の凹部５ｂに、外周に複数本の排水用スリット７を有する蓋体６を被せており、屋外に敷設されることから落葉、小石等の異物が連結管４を介して下水管に送出されることを阻止する。
勿論、この蓋体６は簡単に取外すことができるから、清掃等が容易となる。
また、排便用プール本体１の近傍には水道栓８が備えられており、ペットＰの汚物を散水により集水用排水孔３から下水管にと送出し、且つ排便用プール本体１を常に清潔に維持管理する。
【００１５】
実施例の図面においては、プール外郭部２に併設した縦壁９に設けているが、勿論、立ち水道栓８としてもよい。
図４は異なる実施例を示し、プール本体１を金属、合成樹脂等にて一体的に形成しており、セメントによる打設、或いはレンガブロックを積層するものに比し、施工が簡単で、且つ汚物と共に汚水が大地に浸透することも皆無に等しい。
【００１６】
尚、このプール本体１を金属、合成樹脂等にて形成したものにおいては排便用プール外郭部２は地面Ｅから一定高さｈに敷設するため、周縁１ｂを立ち上げている。
【符号の説明】
【００１７】
Ｅ    地面
Ｐ    ペット
１    排便用プール本体
１ａ  底部
２    プール外郭部
３    集水用排水
４    連結管
５    筒部
６    蓋体
７    排水用スリット
８    水道栓
【図１】
0003165371.tif 000003
【図２】
0003165371.tif 000004
【図３】
0003165371.tif 000005
【図４】
0003165371.tif 000006
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
公園、自宅ガーデン等の屋外地面に一定高さで、而も防水処理を施して敷設されるセメント、レンガブロック等にて囲繞形成されたペット排便用のプール本体と、このプール本体の外郭部の近傍に備えられ、且つ該プール本体の底部に排便された汚物を散水する水道栓と、更に前記プール本体の底部に設けられると共に、散水された汚物の集水用排水孔と、この集水用排水孔と地下に埋設された下水管とを連結してペット汚物を該下水管に送出する連結管とで成したことを特徴とした屋外設置用ペット汚物廃棄装置。
【請求項２】
前記集水用排水孔は、下部に下水管に挿入される筒部を形成し、この筒部とプール本体の底部に着座する鍔部との間に形成された凹部とで成し、而も該凹部に外周に複数本の排水用スリットを有する蓋体を被せたことを特徴とした請求項１記載の屋外設置用ペット汚物廃棄装置。
【請求項３】
公園、自宅ガーデン等の屋外地面に一定高さで、而も防水処理を施して敷設される金属、合成樹脂等にて一体的に形成されたペット排便用のプール本体と、このプール本体の外郭部の近傍に備えられ、且つ該プール本体の底部に排便された汚物を散水する水道栓と、更に前記プール本体の底部に設けられると共に、散水された汚物の集水用排水孔と、この集水用排水孔と地下に埋設された下水管とを連結してペット汚物を該下水管に送出する連結管とで成したことを特徴とした屋外設置用ペット汚物廃棄装置。
【手続補正２】
【補正対象書類名】明細書
【補正対象項目名】０００５
【補正方法】変更
【補正の内容】
【０００５】
本考案は、公園、自宅ガーデン等の屋外地面に一定高さで、而も防水
処理を施して敷設されるセメント、レンガブロック等にて囲繞形成され
たペット排便用のプール本体と、このプール本体の外郭部の近傍に備え
られ、且つ該プール本体の底部に排便された汚物を散水する水道栓と、
更に前記プール本体の底部に設けられると共に、散水された汚物の集水
む用排水孔と、この集水用排水孔と地下に埋設された下水管とを連結し
てペット汚物を該下水管に送出する連結管とで成したことを特徴とした
ものである。